(57)【要約】      （修正有）【課題】移動体検知器を用い監視区域の移動体を検知した際に、白熱灯を点灯し警報を発する在来の防犯灯に於いては、真の防犯効果という点では不備な要素が多々あった。【解決手段】ストロボ防犯灯の構成要素であるキセノンフラッシュランプ5、点灯駆動回路基板3、電気球口金等を用いた電源接続具2、プラスティックパイプ1等により、既存電球と同等要領で取り扱いが出来る構造とする一方、キセノンフラッシュランプ5への点灯指令信号をコネクター付コード18を備える事で灯外に容易に導出できる構造とし、別設置のカメラのリモートシャッターに接続する方法でストロボ発光と同時写真撮影が出来るようにした。【選択図】図１
0003133126.tif 000002
【実用新案登録請求の範囲】
【請求項１】
プラスティックパイプ1の一端に電源接続具2を固着し、キセノンフラッシュランプ5、倍圧整流回路4、点灯起動回路13、分枝回路17、トリガー回路14等を配備した点灯駆動回路基板3を、キセノンフラッシュランプ5がプラスティックパイプ1の開口端に位置する配置でプラスティックパイブ1内に収容し、電源接続具2と点灯駆動回路基板3の交流入力端子の対応電極間を恒久接続し、プラスティックパイプ1の外側壁に係止帯22により放電用コンデンサーを係止固定する。プラスティックパイプ1の側壁から点灯駆動回路基板3の陽極導出線9と陰極導出線10とを導出し、放電用コンデンサー16の対応電極と夫々接続し、点灯駆動回路基板3内の分枝回路17からコネクター付コード17を介して灯外に分枝信号を導出する構成において、プラスティックパイプ1の開口端からキセノンフラッシュランプ5の発光部直下レベルまで該パイプ内にポッティング樹脂21を充填、固化せしめる事により成るストロボ防犯灯。
【考案の詳細な説明】
【技術分野】
【０００１】
本考案はキセノンフラッシュランプを用いた防犯灯に関するものである。
【技術背景】
【０００２】
キセノンフラッシュランプの用途としては、写真撮影時のストロボ、回転数計測用ストロボ、高い建造物、あるいは高速飛行体等の安全標識灯等が主たる用途として実用されている。一方夜間赤外線を監視区域に発射して、監視区域内からの反射赤外線を検出し、区域内への不法侵入者の存否を検知、不法侵入者への白熱電灯点灯による警告発信をする防犯灯も広く実用されているが、上記ストロボ灯と防犯灯は別ジャンルの品物との認識がこれまでは存在していた。
【考案の開示】
【考案が解決しようとする課題】
【０００３】
従来の白熱灯使用の防犯灯は、本来の防犯効果というよりはむしろアクセサリー照明灯的用法から用いられているケースが多く、防犯効果の点からは疑問要素が多々あった。このような不備を補い、不法侵入者への退去警告効果を高め、もしそのケースが犯罪につながった場合犯人を特定出来る術を備え、犯罪捜査に必要となる情報を得て、それを広域かつ迅速に必要個所に伝達、記憶、保存することを可能とする防犯灯を得る事を目的としたものでぁる。
【課題を解決するための手段】
【０００４】
本考案ではキセノンフラッシュランプによるストロボ灯の構造を、在来の白熱電球と同じ要領で使用できるよう下記構成とする。プラスティックパイプの一端に電源接続具を固着し、該パイプ内にキセノンフラッシュランプ、商用交流電源の倍圧整流回路、点灯起動回路、分枝回路、トリガー回路等を配備した点灯駆動回路基板を収容し、点灯駆動回路基板の交流入力端子と電源接続具間の対応電極を恒久接続する。係止帯等の手段で放電用コンデンサーをプラスティックパイプの外側壁に係止固定し、キセノンフラッシュランプの陽極、陰極から導出した陽極導出線、陰極導出線を放電用コンデンサーの対応電極に夫々接続する。さらに点灯駆動回路基板内で点灯起動回路から次段トリガー回路に供給される信号線路に分枝回路を設け、ここからコネクター付コードによりプラスティックパイプの開口端から信号を引き出せるよう構成する。
【考案の効果】
【０００５】
上述したストロボ防犯灯において電源接続具を通じ商用交流電源が入力すると、点灯駆動回路基板内各部電子回路が作動を開始し、点灯起動回路が作り出す信号でキセノンフラッシュランプは一定周期の閃光発光を開始する。一方監視区域内に赤外線パルスを発射し、反射波を受信して区域内の移動体を検知、信号を出力する移動体検知器を設け、その検知出力で電源接続具への電源供給を開閉制御するよう回路を構成する事により、移動体検知によりストロボ防犯灯が発光を繰り返し、侵入者へ強力退去警報信号を発することになり、この動作は移動体検知器の出力がなくなるまで継続する。同時にこのストロボ防犯灯からは、点灯起動回路出力信号が分枝回路からコネクター付コードを介し取り出せるため、これを別設置のカメラのリモートシャッター駆動用に使用する事で監視区域の同時写真撮影が可能とできる。特にカメラとしてデジタルカメラを用いる事により、撮影画像をパソコン、インターネット等の手段で迅速に遠隔地まで伝送、記憶、保存が可能とできる。
【考案を実施するための最良の形態】
【０００６】
プラスティックパイプの一端に電球口金等の電源接続具を固着し、該パイプ内にキセノンフラッシュランプ、倍圧整流回路、点灯起動回路、トリガー回路等を配備した点灯駆動回路基板を収容、点灯駆動回路基板の交流入力端子と電源接続具の対応電極間を恒久接続する。係止帯で放電用コンデンサーをプラスティックパイプの外側壁に係止固定し、点灯駆動回路基板に取り付けられたキセノンフラッシュランプの陽極、陰極から導出した陽極導出線、陰極導出線を夫々放電用コンデンサーの対応電極に接続する。点灯駆動回路基板内の点灯起動回路の出力は次段トリガー回路に入力する一方、分枝回路を経由しコネクター付コードによりプラスティックパイプの開口端から該パイプ外に導出する。斯かる状態でプラスティックパイプの開口端から、ポッティング樹脂をキセノンフラッシュランプの発光部直下レベルまで充填、固化せしめる。
【実施例】
【０００７】
以下添付図に従って実施例を説明する。図1に於いてプラスティックパイプ1の一端に電球口金等の電源接続具2を固着する。プラスティックパイプ１内には図2で示す点灯駆動回路基板3を収容するが、これは以下のように構成、作動する。
【０００８】
図２に於いて、点灯駆動回路基板3内の諸回路部を駆動する電源は、電源接続具2を経由して供給される商用交流電源から得る。倍圧整流回路4は100Vの商用交流電圧を約2〜300Vの直流に変換後段回路に供給する。点灯駆動回路基板3はプラスティックパイプ1内に収容し、電源接続具2の他端にはキセノンフラッシュランプ5を配置し、キセノンフラッシュランプ5の陽極6、陰極7、トリガーゲート電極8を夫々点灯駆動回路基板3に半田固定する。陽極6、陰極7は点灯駆動回路基板3から陽極導出線9、陰極導出線10として夫々プラスティックパイプ1の側壁孔から該パイプ外に導出する。一方プラスティックパイプ1の外側壁には放電用コンデンサー16を係止帯22で係止固定し、陽極導出線9、陰極導出線10と放電用コンデンサー16の対応電極とを夫々接続する。倍圧整流回路4の直流出力は、限流抵抗11、ツェナーダイオード12の直列負荷回路を経由次段の点灯起動回路13の駆動電源を得る。点灯起動回路13は一定周期の矩形波を発振する電子回路で構成され、出力がHレベルの時分枝回路17を経由して次段トリガー回路14を励起する。トリガー回路14は昇圧コイル、コンデンサー、サイリスター等で構成されるインパルス発振回路で、前段からの励起信号入力で数キロボルトのインパルス波を発生し、この電圧をキセノンフラッシュランプ5のトリガーゲート電極8に加える事によりキセノンフラッシュランフ゜5を導通通電させる。倍圧整流回路4の直流出力は別の限流抵抗15を介し放電用コンデンサー16を常時充電し、キセノンフラッシュランプ5の通電によりこの充電電荷が一気に放電してキセノンフラッシュランプ5を閃光発光せしめる。更に点灯起動回路13のH出力は、分枝回路17を経由し、コネクター付コード18から灯外に導出する。
【０００９】
点灯駆動回路基板3をプラスティックパイプ1内に収容するに当っては、キセノンフラッシュランプ5が半田固定されている側を、電源接続具2とプラスティックパイプ1
との固着端とは反対側の開口端に配置して、かつ点灯駆動回路基板3の交流入力端子と電源接続具2の対応電極間を恒久接続した状態で収容する。以上において、電源接続具2とプラスティックパイプ1との固着部、陽極導出線9、陰極導出線10とプラスティックパイプ1の側壁導出孔間の各空隙を適切にシールした後、プラスティックパイプ1の開口端より、ポッティング樹脂21をキセノンフラッシュランプ5の発光部直下のレベルまで該パイプ内に充填、固化せしめる。
【００１０】
本考案のストロボ防犯灯を作動させるに当っては、図2に示す移動体検知器19を設ける。移動体検知器19は監視区域に向け赤外線を発射し、反射波を受信増幅し、受信信号レベルを逐次比較等の方法で監視区域内の移動体有無を検知して出力するよう作動をする。電源接続具2に至る商用交流電源側配線路に直列にスイッチ回路20を配置し、スイッチ回路20を移動体検知器19の出力で開閉制御するよう配線をする。更にコネクター付コード18の出力を適切なケーブルを用い、デジタルカメラ等のリモートシャッターに接続使用する。
【図面の簡単な説明】
【００１１】
【図１】本考案のストロボ防犯灯側面部分断面図である。
【図２】本考案のストロボ防犯灯の作動を示すブロック図である。
【符号の簡単な説明】
【００１２】
1                  プラスティックパイプ
2                  電源接続具
3                  点灯駆動回路基板
5                  キセノンフラッシュランプ
18                 コネクター付コード
【図１】
0003133126.tif 000003
【図２】
0003133126.tif 000004
【手続補正書】
【提出日】平成19年3月17日(2007.3.17)
【手続補正１】
【補正対象書類名】実用新案登録請求の範囲
【補正対象項目名】全文
【補正方法】変更
【補正の内容】
【実用新案登録請求の範囲】
【請求項１】
プラスティックパイプ１の一端に電源接続具２を固着し、キセノンフラッシュランプ５、倍圧整流回路４、点灯起動回路１３、分枝回路１７、トリガ−回路１４等を配備した点灯駆動回路基板３を、キセノンフラッシュランプ５がプラスティックパイプ１の開口端側に位置する配置でプラスティックパイプ１内に収容し、電源接続具２と点灯駆動回路基板３の交流入力端子の各対応電極間とを恒久接続し、プラスティックパイプ１の外側壁に係止帯２２により放電用コンデンサ−１６を係止固定し、プラスティックパイプ１の側壁を貫通して点灯駆動回路基板３の陽極導出線９と陰極導出線１０を導出し、放電用コンデンサ−１６の各対応電極間とを接続し、点灯駆動回路基板３内の分枝回路１７からコネクタ−付コ−ド１８を介して灯外に分枝信号を導出する手段を設ける事を特長とする構成に於いて、プラスティックパイプ１の開口端からキセノンフラッシュランプ５の発光部直下レベルまで該パイプ内にポッティング樹脂２１を充填、固化せしめて成るストロボ防犯灯。
【手続補正２】
【補正対象書類名】明細書
【補正対象項目名】０００９
【補正方法】変更
【補正の内容】
【０００９】  点灯駆動回路基板３をプラスティックパイプ１内に収容するに当たっては、点灯駆動回路基板３でキセノンフラッシュランプ５が半田固定されている側が、プラスティックパイプ１に電源接続具２が固着される側と対向するプラスティックパイプ１の開口端に配置される状態とし、かつ点灯駆動回路基板３の交流入力端子と電源接続具２の対応端子間を恒久接続した状態で収容する。上記において、電源接続具２とプラスティックパイプ１との固着部間隙、陽極導出線９と陰極導出線１０のプラスティックパイプ１の側壁導出孔部間隙をそれぞれ適切にシ−ルした後、プラスティックパイプ１の開口端より、ポッティング樹脂２１をキセノンフラッシュランプ５の発光部直下レベルまで注入充填、固化せしめる。